(57)【特許請求の範囲】
【請求項１】
少なくとも一つの入口孔を備えたプラスチック円筒を含んでなる、果実食性害虫の選択された集団を監視及び／又は防除するための装置であって、前記円筒が、前記害虫を引き寄せるための酢酸アンモニウムとプトレッシンから実質的になる実質的に純粋な食物系誘引物の効果的な量と、前記害虫を殺生するための毒物系とを含む装置。
【請求項２】
前記酢酸アンモニウムを前記円筒内の放出膜とともに使用する請求項１に記載の装置。
【請求項３】
上部と、底部と、複数のミバエ入口孔とを備えた円筒と、
前記円筒の上部と底部をシールするための取外し可能なエンドキャップであって、内側表面に摂食刺激物及び毒物を含有するパネルを含むエンドキャップと、果実食性害虫の誘引物としての酢酸アンモニウムを有している前記円筒内に取り付けた放出膜と、
果実食性害虫の第二誘引物としてプトレッシンを含有するバイアルと、
を含んでなる果実食性害虫を監視及び／又は防除するための装置。
【請求項４】
前記円筒が少なくとも部分的に着色され、前記色が前記害虫に視角的に引きつけるか視覚的に刺激する請求項３に記載の装置。
【請求項５】
前記色が黄色、橙色及び緑色からなる群から選択される請求項４に記載の装置。
【請求項６】
前記害虫がいると思われるか前記害虫がいることがわかっている環境に前記装置をつるすための手段をさらに含んでなる請求項３に記載の装置。
【請求項７】
前記エンドキャップが透明である請求項３に記載の装置。
【請求項８】
前記エンドキャップの内表面上に、摂食刺激物としての糖と、マラチオン、メトミル、ジクロロボス、ナレドからなる群から選択される毒物、粘着物質及びそれらの混合物とを含むパネルを有している請求項３に記載の装置。
【請求項９】
ワックスを塗った厚紙形材を、前記摂食刺激物及び前記毒物を受け入れる支持体として使用する請求項８に記載の装置。
【請求項１０】
前記摂食刺激物と毒物を着色塗料と混合してカラー組成物を形成し、前記カラー組成物を前記厚紙に適用する請求項９に記載の装置。
【請求項１１】
複数のミバエ入口孔を備えた円筒と、
前記円筒の上部と底部をシールするための取外し可能なエンドキャップと、
果実食性害虫の誘引物として酢酸アンモニウムとプトレッシンから実質的になるものを有している前記円筒内に取り付けた放出膜と、
果実食性害虫の第二誘引物としてのプトレッシンを含有するバイアルと、
を含んでなる果実食性害虫を監視及び／又は防除するための装置。
【請求項１２】
酢酸アンモニウムとプトレッシンとから実施的になる果実食性害虫誘引物の効果的な量を含む装置を、果実食性害虫が該装置内に引き寄せられるように配置すること、
を含んでなる果実食性害虫を選択的に監視及び／又は防除する方法。
【請求項１３】
摂食刺激物としての砂糖と；マラチオン、メソミル、ジクロロボス及びナレドからなる群から選択される毒物と；飛翔している害虫を引き寄せるための視覚的キューからなる毒物パネルであって、該毒物パネルは該害虫用トラップ装置内に配備され、該害虫を該トラップ装置内の該パネルへ引き寄せることを特徴とする請求項１２記載の果実食性害虫を選択的に監視及び／又は除去する方法。
【請求項１４】
（ａ）酢酸アンモニウム、
（ｂ）プトレッシン、及び
（ｃ）放出膜
から実質的になる果実食性害虫の誘引物であって、前記（ａ）及び（ｂ）は果実食性害虫を誘引するための効果的な量のアンモニアと酢酸とプトレッシンを提供することを特徴とする誘引物。
【請求項１５】
果実食性害虫を誘引するためのアンモニアと酢酸とプトレッシンから実質的になる効果的な量のガス組成を放出する化合物から実質的になることを特徴とする合成誘引物。
【請求項１６】
酢酸アンモニウムがアンモニアと酢酸を生成することを特徴とする請求項１５に記載の合成誘引物。
【発明の詳細な説明】
発明の背景
発明の分野
本発明は、化学的及び視覚的刺激物を用いた、テフリチド（ｔｅｐｈｒｉｔｉｄ）ミバエを監視及び／又は防除するための新規な方法及び装置に関する。
従来技術の説明
果実食性害虫ハエの防除は、果実及び野菜の生産及び輸出にとって経済的にかなり重要である。検疫及び調節剤では、経済的に重要なミバエの新しく入ってきた種を検出するのに相当な努力を要する。地中海ミバエ（Ｃｅｒａｔｉｔｉｓ  ｃａｐｉｔａｔａ）は、分布が広く且つホストの範囲が大きいことから、主要な果実食性害虫である（Ｅｎｋｅｒｌｉｎ等、Ｗｏｒｌｄ  Ｃｒｏｐ  Ｐｅｓｔｓ、Ｖｏｌ．３Ａ；Ｆｒｕｉｔ  Ｆｌｉｅｓ，Ｔｈｅｉｒ  Ｂｉｏｌｏｇｙ，Ｎａｔｕｒａｌ  Ｅｎｅｍｉｅｓ  ａｎｄ  Ｃｏｎｔｒｏｌ、Ｅｌｓｅｖｉｅｒ  Ｓｃｉｅｎｃｅ  Ｐｕｂｌｉｓｈｅｒｓ、１９８９）。米国に地中海ミバエが入ってくる恐れと可能性から、Ｃ．ｃａｐｉｔａｔａの検出と根絶が非常に重要視されている。改良された疑似餌を開発して、この地中海ミバエ及び他の有害なミバエの集団を監視且つ殺生するとともに、現在これらの害虫のいない区域に集団が作られるのを防止することが必要とされている。
果実食性ミバエ（Ｔｅｐｈｒｉｔｉｄａｅ）を監視、防除及び根絶するために開発された方法は、化学的誘引剤の使用によるものが多い。メチルユージノール＋ジブロム；キュウルア＋ジブロム；アンモニウム塩；及び１，７−ジオキサスピロ〔５．５〕ウンデカンとα−ピネン又はｎ−ノナナールとの混合物；及びスピロアセタールが、Ｄａｃｕｓ種の疑似餌として使用されている。ヘキシルアセテート、（Ｅ）−２−ヘキセン−１イルアセテート、ブチル２−メチルブタノエート、プロピルヘキサノエート、ヘキシルプロパノエート、ブチルヘキサノエート及びヘキシルブタノエートが、Ｒｈａｇｏｌｅｔｉｓ種の疑似餌として使用されている。トリメドルア（ｔｒｉｍｅｄｌｕｒｅ）（Ｂｅｒｏｚａ等、Ｊ．Ａｇｒｉｃ．Ｆｏｏｄ  Ｃｈｅｍ．９：３６１〜３６５、１９６０）は、雄の地中海ミバエを引き寄せるのに効果的であるが、雌の地中海ミバエを引き寄せるには活性が弱いか全く効果がない（Ｎａｋａｇａｗａ等、Ｊｏｕｒｎａｌ  ｏｆ  Ｅｃｏｎｏｍｉｃ  Ｅｎｔｏｍｏｌｏｇｙ  ６３：２２７〜２２９、１９７０）。果実食性害虫の調査・検出に現在使用されている通常の疑似餌は、醗酵酵母加水分解物（Ｇｒｅａｎｙ等、Ｅｎｔ．ｅｘｐ  ＆  Ａｐｐｌ．２１：６３〜７０、１９７７）及びタンパク加水分解物（ＭｃＰｈａｉｌ、Ｊ．Ｅｃｏｎ．Ｅｎｔｏｍｏｌ．３２：７５８〜７６１、１９３９）等のタンパク餌である。タンパク疑似餌には、多数の非標的昆虫を捕らえてしまう問題がある。さらに、雌ミバエと雄ミバエの両方を引き寄せるのに有効である疑似餌は、タンパク餌しかない。
成虫ミバエは、生存するのに糖を必要とし（Ｃｈｒｉｓｔｅｓｏｎ  ＆  Ｆｏｏｔｅ、Ａｎｎｕａｌ  Ｒｅｖｉｅｗ  ｏｆ  Ｅｎｔｏｍｏｌｏｇｙ  ５：１７１〜１９２、１９６０）、同翅類昆虫により分泌される甘露が成虫テフリチドの重要な食物源としてみなされている（Ｃｈｒｉｓｔｅｎｓｏｎ等、Ａｎｎｕａｌ  Ｒｅｖｉｅｗ  ｏｆ  Ｅｎｔｏｍｏｌｏｇｙ  ５：１７１〜１９２、１９６０）。雌のミバエも、生殖能力を確保するのにタンパク質を必要とし、このタンパク質が必要なことが、雌のミバエの検出用トラップの主要な基礎をなしている。タンパク餌をつけたＭｃＰｈａｉｌトラップ（水溜を備えたベル状ガラストラップ）（Ｎｅｗｅｌｌ、Ｊｏｕｒｎａｌ  ｏｆ  Ｅｃｏｎｏｍｉｃ  Ｅｎｔｏｍｏｌｏｇｙ  ２９：１１６〜１２０、１９３６）は、現在世界中の果実栽培地域でミバエを監視するのに使用されている。ＭｃＰｈａｉｌトラップは扱いにくく、これらのトラップを使用するのには非常に数多くの欠点が伴う。トラップを使用できるようにするには、トラップをさかさまにし、餌を加えた後にトラップを直立位置にもどすといった多少要領の悪い方法で水と餌を添加する必要がある。この工程では、餌がこぼれることがよくあり、こぼれた餌がトラップの外のハエの食物源となる。トラップした昆虫を取り出すにも、トラップの内容物をメッシュスクリーンで濾過して昆虫を餌液から分離する必要がありかなりの困難が伴う。タンパク餌液は多数の非標的昆虫を捕らえるので、有害なミバエを非標的昆虫からえり分けるのに相当の時間を要する。これらのトラップから回収されたミバエは、ひどく分解していて部分的になくなっていることがある。このため、不妊の昆虫を開放する予定でこれらのトラップを使用するときには、標的不妊ミバエを非標的繁殖性ハエと区別するのがますます困難となる。ＭｃＰｈａｉｌトラップの配備にともなう困難に関与する他の因子には、トラップの大きさと重量及びガラスが脆いことなどがある。
数百の化合物がタンパク餌から放出されることが知られている（Ｍｏｒｔｏｎ  ＆  Ｂａｔｅｍａｎ、Ａｕｓｔ．Ｊ．Ａｇｒｉｃ．Ｒｅｓ．３２：９０５〜９１６、１９８１）。商用加水分解タンパク昆虫餌のある種の揮発成分としては、例えば、フェニルアセトアルデヒド、酢酸、フルフリルアルコール、２−アセチルフラン、ベンゾアルデヒド、メタノール、２−アセチルピロール、フルフラール、５−メチル−２−フェニル−２−ヘキセナール、５−メチル−２−〔（メチルチオ）−メチル〕−２−ヘキセナール及びアンモニアがある。アンモニア（Ｂａｔｅｍａｎ  ＆  Ｍｏｒｔｏｎ、Ａｕｓｔ．Ｊ．Ａｇｒｉｃ．Ｒｅｓ．３２：８８３〜９０３、１９８１；Ｍａｚｏｒ等、Ｅｎｔｏｍｏｌ．Ｅｘｐ．Ａｐｐｌ．４３：２５〜２９、１９８７）、酢酸（Ｋｅｉｓｅｒ等、Ｌｌｏｙｄｉａ  ３８：１４１〜１５２、１９７６）及び種々の他の揮発物（Ｂｕｔｔｅｒｙ等、Ｊ．Ａｇｒｉｃ．Ｆｏｏｄ  Ｃｈｅｍ．３１：６８９〜６９２、１９８３）が、ミバエの誘引物として検討された。しかしながら、これらの報告では、試験化合物の放出量若しくは放出比や、これらの化学物質のＭｃＰｈａｉｌトラップと比較した有効性に関しての情報がない。
多数のテフリチドミバエが、葉又は果実の視覚的模倣物としての一定の色及び形状に引き寄せられることが知られている。テフリチド種、例えば、カリブ海ミバエ（Ａｎａｓｔｒｅｐｈａ  ｓｕｓｐｅｎｓａ（Ｌｏｅｗ））；アップルマゴットハエ（Ｒｈａｇｏｌｅｔｉｓ  ｐｏｍｏｎｅｌｌａ（Ｗａｌｓｈ））；ヨーロッパチェリーミバエ（Ｒ．ｃｅｒａｓｉ（Ｌ．））；地中海ミバエ；及びオリーブミバエが、黄色の長方形パネル、即ち、二次元視覚的キュー模倣葉に引き寄せられることが報告された（Ｇｒｅａｎｙ等、Ｅｎｔｏｍｏｌ．Ｅｘｐ．Ａｐｐｌ．２１：６３〜７０、１９７７；Ｐｒｏｋｏｐｙ、Ｅｎｖｉｒｏｎｍｅｎｔａｌ  Ｅｎｔｏｍｏｌｏｇｙ  １：７２０〜７２６、１９７２；Ｐｒｏｋｏｐｙ  ＆  Ｂｏｌｌｅｒ、Ｊｏｕｒｎａｌ  ｏｆ  Ｅｃｏｎｏｍｉｃ  Ｅｎｔｏｍｏｌｏｇｙ  ６４：１４４４〜１４４７、１９７１；Ｐｒｏｋｏｐｙ  ＆  Ｅｃｏｎｏｍｏｐｏｕｌｏｓ、Ｚ  Ａｎｇ．Ｅｎｔｏｍｏｌ．８０：４３４〜４３７、１９７６）。塗装球体、即ち、三次元視覚的キュー模倣ホスト果実は、アップルマゴットハエ（暗赤色球体）；クルミ殼ハエ、Ｒ．ｃｏｍｐｌｅｔａ  Ｃｒｅｓｓｏｎ（緑色球体）；及び地中海ミバエ（黒色又は黄色球体）を引き寄せることが報告された（Ｐｏｒｏｋｏｐｙ、Ｃａｎａｄｉａｎ  Ｅｎｔｏｍｏｌｏｇｉｓｔ  １０９：５９３〜５９６、１９７７；Ｒｉｅｄｌ  ＆  Ｈｉｓｌｏｐ、Ｅｎｖｉｒｏｎｍｅｎｔａｌ  Ｅｎｔｏｍｏｌｏｇｙ  １４：８１０〜８１４、１９８５；Ｎａｋａｇａｗａ等、Ｅｎｔｏｍｏｌ．Ｅｘｐ．Ａｐｐｌ．２４：１９３〜１９８、１９７８）。現在のところ、視覚的キューを、単独又は化学的誘引物と組み合わせして使用する全てのトラップでは、捕らえた昆虫を保持するために粘着物質を使用している。これらの物質は使用するのが困難であり、そしてトラップの保守をいつもおこなってトラップされた数多くの非標的ハエを取り除くだけでなく、粘着物質を補充することも必要である。
ある種のミバエが、果実又は葉の模倣物からなる視角的刺激物と非フェロモン性化学的疑似餌との組み合わせを用いてトラップされた。Ｒｅｉｓｓｉｇ等、Ｅｎｖｉｒｏｎｍｅｎｔａｌ  Ｅｎｔｏｍｏｌｏｇｙ  １１：１２９４〜１２９８、１９８２は、合成アップル揮発物の餌をつけた赤色球体を用いてアップルマゴットハエをトラップすることを開示している。上記したＲｉｅｄｌ  ＆  Ｈｉｓｌｏｐは、食物系刺激物として炭酸アンモニウムを添加すると、黄色長方形及び緑色球体に対するクルミ殼ハエの反応が高まったが、クルミ殼ハエについての選択性のロスがあったと報告している。上記したＮａｋａｇａｗａ等は、黄色長方形又は黒色球体に化学的疑似餌トリメドルアを添加すると雄の地中海ミバエの誘引性が高まったと報告している。フェロモン系疑似餌と視覚的模倣物とを組み合わせることが報告されている。オリーブバエ（Ｄａｃａｓ  ｏｌｅａｅ（Ｇｍｅｌｉｎ）の雄についての性フェロモン餌トラップの現場試験が、雌産生フェロモンを用いてうまくいくことが示された（Ｊｏｎｅｓ等、Ｂｕｌｌｅｔｉｎ  ｏｆ  Ｅｎｔｏｍｏｌｏｇｉｃａｌ  Ｒｅｓｅａｒｃｈ  ７３：９７〜１０６、１９８３；Ｍａｚｏｍｅｎｏｓ  ＆  Ｈａｎｉｏｔａｋｉｓ、Ｊｏｕｒｎａｌ  ｏｆ  Ｃｈｅｍｉｃａｌ  Ｅｃｏｌｏｇｙ  １１：３９７〜４０５、１９８５）。雄産生フェロモンと視覚的キューとしての球体とを組み合わせた雌ミバエのトラップが、地中海ミバエ（Ｈｅａｔｈ等、Ｊｏｕｒｎａｌ  ｏｆ  Ｃｈｅｍｉｃａｌ  Ｅｃｏｌｏｇｙ  １７：１９２５〜１９４０）及びパパイヤミバエ、Ｔｏｘｏｔｒｙｐａｎａ  ｃｕｒｖｉｃａｕｄａ  Ｇｅｒｓｔａｅｃｋｅｒ（Ｌａｎｄｏｌｔ等、Ｅｎｖｉｒｏｎｍｅｎｔａｌ  Ｅｎｔｏｍｏｌｏｇｙ  ２１：１１５４〜１１５９、１９９２）について報告されている。雄のフェロモンに雌のミバエが引き寄せられるのは、雌ミバエが生理的に交尾できる状態にあるときだけである。したがって、雌のミバエは、短い成虫寿命の間しか雄産生性フェロモンに引き寄せられず、標準的なトラップ法については現在のところ使用されていない。
現在まで、ガラストラップで餌の水溶液を用いたり、粘着物質を備えたトラップで合成化学物質を用いてこれらのミバエをトラップすることのない、雄ミバエと雌ミバエの両方に有効な食物を主成分とする誘引物系がなかった。したがって、地中海ミバエを監視するための「乾式」トラップを提供する、より簡便な方法が必要とされている。
発明の概要
したがって、本発明の一つの目的は、食物系化学的刺激を用いた、果実食性害虫を監視及び／又は防除するためのトラップを提供することである。
本発明の別の目的は、果実食性害虫を引き寄せ且つそれらがトラップされるように誘導する視覚的及び化学的刺激物の組み合わせを提供することである。
本発明のさらなる目的は、食物系化学的餌を含む果実食性害虫用円筒トラップを提供することである。
本発明のさらなる目的は、酢酸アンモニウムと１．４−ジアミノブタン（プトレッシン）とから構成される食物系化学的餌を含む果実食性害虫用トラップを提供することである。
本発明のさらなる目的は、内部に毒物パネルを含む果実食性害虫用トラップを提供することである。
本発明のさらなる目的は、性的未成熟非交尾、性的成熟非交尾又は性的成熟交尾果実食性昆虫を選択的に捕まえるためのトラップを提供することである。
本発明のさらなる目的は、酢酸アンモニウムと１，４−ジアミノブタンを含む果実食性害虫誘引組成物を提供することである。
本発明の別の目的は、果実食性害虫を殺生するための、摂食刺激物と、毒物と、顔料とを含有する彩色性水性組成物を提供することである。
本発明のさらなる目的及び利点は、以下の説明から明らかになるであろう。
【図面の簡単な説明】
第１ａ図は、トラップ本体の単一面を示す。
第１ｂ図は、本発明の装置の分解図である。
第１ｃ図は、本発明の装置のエンドキャップのアセンブリーである。
第２図は、低薬量、中薬量及び高薬量実験に使用したアンモニアの放出速度を示す。
第３ａ図は、化学物質非含有トラップ、酢酸アンモニウム単独含有トラップ、プトレッシン単独含有トラップ、及び酢酸アンモニウム／プトレッシン組み合わせ含有トラップを用いて捕まえた雌地中海ミバエ％の比較したものである。同じ文字が記されているグループ（低薬量対中薬量）内のバーは、有意差がない。
第３ｂ図は、化学物質非含有トラップ、酢酸アンモニウム単独含有トラップ、プトレッシン単独含有トラップ、及び酢酸アンモニウム／プトレッシン組み合わせ含有トラップを用いて捕まえた雄地中海ミバエ％の比較したものである。同じ文字が記されているグループ（低薬量対中薬量）内のバーは、有意差がない。
第４ａ図は、透明及び異なる色に着色されたトラップとともに合成物質を用いて捕まえた雌地中海ミバエ％を比較したものである。同じ文字が記されたバーは、有意差がない。
第４ｂ図は、透明及び異なる色に着色されたトラップとともに合成物質を用いて捕まえた雄地中海ミバエ％を比較したものである。同じ文字が記されたバーは、有意差がない。
第５ａ図は、２つの型の新規なトラップで捕まえた雌地中海ミバエ数を、標準的な水及びタンパクを餌とするガラストラップ（バー）と比較し、且つ合成餌を低薬量で用いたときのトラップ（パイスライス）当りの非交尾ハエ％を示す。同じ文字が記されたバーは、有意差がない。
第５ｂ図は、２つの型の新規なトラップで捕まえた雌地中海ミバエ数を、標準的な水及びタンパクを餌とするガラストラップ（バー）と比較し、且つ合成餌を中薬量で用いたときのトラップ（パイスライス）当りの非交尾ハエ％を示す。同じ文字が記されたバーは、有意差がない。
第５ｃ図は、２つの型の新規なトラップで捕まえた雌地中海ミバエ数を、標準的な水及びタンパク餌とするガラストラップ（バー）と比較し、且つ合成餌を高薬量で用いたときのトラップ（パイスライス）当りの非交尾ハエ％を示す。同じ文字が記されたバーは、有意差がない。
本発明の詳細な説明
本発明によりはじめて、タンパク質水溶液を使用することなくミバエを監視及び防除するシステムが提供される。本発明の方法及び装置は、ミバエを引き寄せるだけでなくミバエを円筒に入るように誘導する視覚的及び化学的刺激物の独特の組み合わせを組み込んであるので、ミバエをトラップ、殺生したり、防除したりすることができる。本発明者等は、ホスト果実又は葉を模倣した視覚的刺激物を、食物餌から分離される２種の化学物質、アンモニア及び１，４−ジアミノブタン（プトレッシン）と組み合わせることができることを見出した。これらの２種の化学物質が効果的な量で存在するとき、装置は、ハエを視覚的キュー、摂食刺激物及び毒物を含むトラップの内部のパネル上で餌を食べるように誘導することにより、ハエを引き寄せるだけでなく、ハエがトラップに入るように誘導し、トラップにハエを保持し、トラップされたハエを殺生することができる。また、外部の視覚的キュー、合成食物系化学物質及び摂食刺激物を、装置に反応するミバエを死滅させる毒物と組み合わせて使用するのも、本発明が最初である。合成化学物質ブレンドの餌をつけた円筒状トラップを用いてミバエを引き寄せ且つトラップできることは、従来技術では、ミバエが円筒状視覚的キューには反応しないことを教示しているので、予想外であった（前掲Ｎａｋａｇａｗａ等、Ｅｎｔｏｍｏｌ．Ｅｘｐ．Ａｐｐｌ．、１９７８）。
さらに、誘引化学物質を十分に規定された方法で放出することにより、種々の生理的年齢の雌のミバエを選択的に引き寄せることができることを見出した。交尾する前の雌を引き寄せる能力により、雌のミバエが果実中で産卵する前に排除できるので、トラップシステムの価値がいっそう大きく高まる。
非常に数多くの化学物質がタンパク餌から放出されることが公知であるけれども、種々の薬量で使用した場合の誘引性は、これらの化学物質の一部についてはいままで知られていない。具体的には、アンモニアは数多くのミバエについての誘引性化学物質として提案されてきたが、例えば、地中海ミバエに対しては、誘引性は穏やかでしかないことが分かった（Ｂａｋｅｒ等、Ｊｏｕｒｎａｌ  ｏｆ  Ｅｃｏｎｏｍｉｃ  Ｅｎｔｏｍｏｌｏｇｙ  ８３：２２３５〜２２４５、１９９０）。アンモニアを放出する酢酸アンモニウムを含有する市販の配合物は有効ではあるが、アンモニアのこの配合物からの放出速度に関しては、信頼性のある定量的データはない。さらに、この配合物の放出速度を変化させる方法も、いままで記載されていない。本発明者等は、アンモニア（酢酸アンモニウム配合物からの）とプトレッシンとの配合物が、ミバエを引き寄せるのに必要であることを見出した。また、本発明者等は、雌のミバエは、生理学的状態に応じて、好む配合物の放出速度が異なる。この知見に基づき、例えばトラップを、放出される化学的配合物の量を変化させることにより性的未成熟非交尾、性的成熟非交尾又は性的成熟交尾雌ミバエを捕まえるように設計できる。
トラップの設計に関する独特の態様は、ミバエの挙動の概念的及び解析的両面を含む。円筒状トラップの設計は独特であり、ハエが見たときに、外観が果実ホストによく似ている三次元的形状とする。同様に、ミバエは誘引性臭気源に対して風上に向かって飛ぶので、少なくとも３つの孔を備えたトラップでは、化学物質が風の方向とは無関係に放出されるシステムとなる。さらに、トラップ内部からの化学物質の放出により、ハエがトラップに誘い込まれる。トラップの設計により、複数色の組み合わせを使用できる。トラップの設計を行うことは、従来技術からはトラップされたハエを粘着物質を使用せずとも保持するのに必要な機構に関する情報が得られないので特に困難である。トラップに入ったハエの挙動の観察に基づいて、本発明者等は、塗装トラップが半透明であると、トラップされたハエが、自分が入ってきた孔が逃げ孔としての役割りを果たすこともできることを認識できないことを見出した。トラップ内のハエは、典型的には、孔の周囲を歩き回り、孔自体の明るい光を避ける。トラップの設計では、上部及び底部に半透明、透明又は光透過ゾーンを設ける。上部及び底部の透明領域は、円筒形状物の構造用支持材としての役割を果たす他に、明確に光走性である（光の方向に動く）ハエの本能的反応を利用している。この反応が、捕まえられたハエがトラップの上部又は下部の方向移動するのを助長する。この上部又は下部は、脱出機構として知覚されるが、実際には、脱出するのではなく、ハエが強力な摂食刺激物を毒物と組み合わせて含有する同様に部分的又は完全に半透明であることができる着色パネル上に降り立つこととなる。従来技術は、足根（足部）でショ糖等の糖に触れたミバエは糖に対して迅速に摂食反応を始めること、及び毒物を糖と混合でき、したがって、ハエに対する致死系を形成できることを教示している。既に文書として記載されている系では、造粒物質が用いられ、どのように視覚的キューを摂食刺激物及び毒物と組み合わせるかについては説明がなされていない。一連の研究努力を通して、本発明者等は、ショ糖と毒物との水溶液の配合物を水性塗料と混合できることを見出した。この独特の配合物で表面を塗装でき、そして視覚的キューとして塗料を用いたこの組み合わせにより、ハエをトラップの内部の摂食刺激物と毒物とを含有する特定の領域に誘い込む。毒物はトラップ内に入れられ、摂食刺激物と視覚的キューと毒物との組み合わせにより１トラップ当り必要とする毒物濃度が最少限に抑えられる。毒物系をトラップ内に配置することは、毒物系の劣化を生じることがある環境の悪条件から毒物を保護するのに重要である。具体的には、水（即ち、雨）に当たると、ショ糖が水に溶解性であることから摂食刺激物の損失が生じる。
本発明による視覚的及び化学的刺激の新規な組み合わせにより、ミバエ検出及び集団密度推測用ツールが提供されるだけでなく、これらの害虫の防除手段も提供される。本発明ではミバエの雄雌両方を引き寄せることができるので、以下の有利で経済的な用途が考えられる：（１）新たな害虫発生の検出；（２）存在する成虫集団を監視してこれからの加害レベルを予測することにより通常の殺虫剤を用いた処理をよりよく計画（及び減少）すること；及び（３）雌集団の個体群を統計学的に重要な部分を引き寄せてから駆除することにより成虫集団における繁殖を抑制すること。
本発明の特定の利点は、食物系誘引物である化学物質を含むことと、ミバエの雄雌両方を引き寄せることである。本発明により、性的に未成熟、性的成熟非交尾又は交尾である雌のミバエがトラップされたり死亡したりするので、現場で繁殖する可能性が無くなり、有害なミバエの潜在集団を効果的に減少でき且つ果実及び野菜を害から守ることができる。
本発明の別の利点は、ミバエの集団を検出し且つ集団を変化させることができ、且つ果実作物においてこれらのミバエを防除して害虫により生じる損失を減少させるための手段を提供できることである。
機能及び効率に影響を及ぼす本発明のいくつかの特徴がある。これらには、視覚的刺激物の色及び化学的刺激物の放出速度などがある。ホストの木に配置したときの本発明の性能は、ハエをトラップ付近に引き寄せる化学物質の誘引性と、視覚的刺激物の視覚特性に対するハエの近距離反応により表される。
地中海ミバエ（Ｃｅｒａｔｉｔｉｓ  ｃａｐｉｔａｔａ）を、モデル系として使用する。しかしながら、本発明のシステムは、他の果実食性害虫の防除に適用できる。当業者は、特定のテフリチドミバエ集団をトラップするのにどの視覚的キューが必要かを容易に決定できる。
トラップの構成：トラップ１０（第１ｂ図）は、３つの主要な構成要素からなる：昆虫の入口となる少なくとも３つの孔１４（第１ａ図）を備えた、例えば、ＬＥＸＡＮ（登録商標）、アセテートシート、ＭＹＬＡＲ（登録商標）、ブチラート、ＢＩＶＡＸ（登録商標）及びＡＣＲＹＬＩＴＥ（登録商標）等のいずれかの適当な透明可撓性材料から作製された少なくとも部分的に塗装された円筒容器であり、且つ餌２８、３０と毒物２０、２１とを含むトラップ本体１２；トラップ内に迅速に出入りして昆虫の除去、トラップの清掃及び餌の交換をするための２つの取外し可能なエンドキャップ１６、１７；トラップ本体１２の端部に摩擦嵌合できる２本のワイヤハンガー１８、１９であって、一本１８は餌２８、３０をトラップ１０の内部にとりつけるためのものであり、もう一本１９はトラップを保持し且つ安全なアセンブリーを木に支持するためのものであるワイヤハンガー（第１ｂ図）。ミバエを引き寄せするための合成化学的餌２８、３０及び反応性昆虫を殺生するための２つの毒物パネル２０、２１を、乾式トラップ内に配置する。本体１２は、例えば、幅１．０ｍ×３０．５ｍのＧｒａｆｉｘ透明アセテートシート（Ｐ／Ｎ＃４４００８、米国オハイオ州リマにあるＰｌａｓｔｉｃｓ社）のロールから切断した厚さ０．０２５ｍｍの透明可撓性材料の幅１５．０ｃｍ（ａ及びｂ各々７．５ｃｍ）×長さ３０．０ｃｍ（ｃ、ｄ、ｅ及びｆがそれぞれ５ｃｍ、１０ｃｍ、１０ｃｍ及び５ｃｍ）の長方形片である。直径２．２ｃｍの３つの孔１４を、長さ方向の中心線に沿って中心の左右１０ｃｍ間隔をあけて切り取る。本体１４の長さ方向に沿って中心に配置した本体１２上の幅７．６２ｃｍのストリップｇ、２６（各外側縁から３．８１ｃｍ）にスプレー塗装を施して、視覚的キューを形成する。この調査において、使用することのできる３つの光沢色の一つは、例えば、蛍光緑色、黄色又は橙色である（ＣｏｌｏｒＷｏｒｋｓ  Ｆｌｕｏｒｅｓｃｅｎｔ  Ｓｐｒａｙ  ｐａｉｎｔｓ、オハイオ州ソロンにあるＳｈｅｒｗｉｎ−Ｗｉｌｌｉａｍｓ社Ｋｒｙｌｏｎ  Ｄｉｖｉｓｉｏｎ）。プラスチック製塗装長方形片をローリングして、塗装面が内側に向いた直径９．０ｃｍの円筒とし、重なり合った端部を一緒に幅１．２７ｃｍのＳｃｏｔｃｈ（登録商標）画面テープ（ミネソタ州セントポールにある３Ｍ社）の長さ１５ｃｍ片２７を用いてとめた。乾式トラップの外面には、粘着物質、例えば、ＴＡＮＧＬＥ  ＴＲＡＰ（登録商標）接着剤及びＴＡＮＧＬＥ−ＦＯＯＴ（登録商標）等を塗布できる。一つが上部用で一つが底部用である２つの取外し可能なエンドキャップ１６、１７は、例えば、標準１００×５ｍｍ研究室グレードプラスチック製ペトリ皿（Ｐ／Ｎ＃３４８８−Ｂ２８、ニュージャージー州ＳｗｅｄｅｓｂｏｒｏにあるＴｈｏｍａｓ  Ｓｃｉｅｎｔｉｆｉｃ社製）を用いて作製した。ペトリ皿の二半分（第１ｃ図）を、塩化メチレンを用いて互いにくっつけた。一半分は他半分よりも小さく且つその内部に嵌まるので、得られたユニオンは、小さな溝を形成し、そこにプラスチック製円筒の壁（本体）が摩擦嵌合できる。
上部エンドキャップと底部エンドキャップの両方に、中心を完全に貫通した０．１６ｃｍの孔があけられている。２０ゲージの溶融亜鉛メッキ鋼ワイヤ１９の３５ｃｍ片をアセンブリー全体を通し、底部エンドキャップから出た後に９０°の角度で曲げることにより乾式トラップを一緒に保持する。ワイヤの上部を曲げてフックとして、木にかけられるようにする。上部エンドキャップ上の中央孔の他に、第二の０．１６ｃｍの孔を、その隣１．０ｃｍのところにあけて、同じ鋼ワイヤ１８の別の小片（長さ１０ｃｍ）を曲げてフックとして、トラップ内に化学的餌２８、３０の懸垂点として使用する。
毒物パネル。摂食刺激物とトキシンとを含む２つの小さな塗装厚紙パネル２０、２１（第１ｂ図）を、両面テープを用いてエンドキャップの表面２３（第１ｂ図）上に配置し、トラップに入ったハエを殺生するのに使用する。使用される毒物には、例えば、工業用グレードメトミル（米国デラウエア州ニューワークにあるデュポン社製；９８％〔ＡＩ〕）がある。他の適当な毒物は、例えば、マラチオン、ジクロルボス（ｄｉｃｈｌｏｒｖｏｓ）及びナレド（ｎａｌｅｄ）である。ＡＣＳグレードショ糖（Ｍａｌｌｉｎｋｒｏｄｔ、Ｐａｒｉｓ、ＫＹ）が、例えば、摂食刺激物として使用される。いずれの糖を用いてもよい。カラー視覚的キューには、例えば、Ｈｕｎｔｅｒ  Ｇｒｅｅｎ  １００％アクリルラテックス塗料（オハイオ州クリーブランドにあるＴｈｅ  Ｇｌｉｄｄｅｎ社製）がある。パネルは、円筒に塗った色とは異なる色であってもよい。さらに、パネルは、例えば、糖／毒物溶液及び／又は粘着物質を塗布した一枚の着色厚紙であってもよい。
殺虫剤１８ｍｇを水０．８ｍｌに溶解後、これを予備混合ショ糖溶液（ショ糖１ｇを水３．２ｍｌに溶解して調製した溶液）に添加し、殺虫剤と糖混合物を合わせた後、塗料２．０ｇを添加し、混合物を攪拌することにより、塗料／糖／殺虫剤比＝１．０：０．５：０．０１を調製する。ワックスを塗った厚紙（１３×８ｃｍ長方形）を、毒物溶液用支持体として用いる。幅５ｍｍ×厚さ１ｍｍの外側ボーダーを、テフロン接着テープ（Ｂａｔｉｋ  Ｐｒｏｔｅｃｔｉｖｅ  Ｏｖｅｒｌａｙ、カルフォルニア州コンコードにあるＢｅｒｇｈｏｌ  Ａｍｅｒｉｃａ社製）を用いて作製して、溶液を厚紙上に保持する。合計３．４ｇの溶液を、調製２時間以内にパネルに移し、空気乾燥してから使用する。パネルを切断して、４×３．２５ｃｍの大きさ８枚とし、これらのパネルのうちの２枚を、各トラップにおけるエンドキャップ１６及び１７の表面２３上に配置する。
誘引に使用される合成化学物質と放出速度：本発明者等の研究から、アンモニアとプトレッシンがタンパク餌により放出されること、及び酢酸アンモニウムとプトレッシンをタンパク餌により放出される他の化学物質からの妨害なしに組み合わせて使用すると、ミバエに対して非常に誘引性がよいことが分かった。アンモニア、酢酸（酢酸アンモニウムから得られる）及びプトレッシンを、視覚的刺激物と組み合わせて効果的な量で使用する。効果的な量とは、ミバエを餌の位置に、ミバエが餌のない位置に引き寄せられるよりも有意に高い速度でミバエを引き寄せる膜からの化学的配合物の放出速度を生じる化学的配合物の量として定義される。酢酸アンモニウムを、例えば、Ｌｅｏｎｈａｒｄｔ等、Ｉｎｓｅｃｔ  Ｐｈｅｒｏｍｏｎｅ  Ｔｅｃｈｎｏｌｏｇｙ：Ｃｈｅｍｉｓｔｒｙ  ａｎｄ  Ａｐｐｌｉｃａｔｉｏｎｓ、ＡＣＳ  Ｓｙｍｐｏｓｉｕｍ  Ｓｅｒｉｅｓ  １９０、１９８２及びＫｙｏｄｏｎｉｓｕｓ、Ｃｏｎｔｒｏｌｌｅｄ  Ｒｅｌｅａｓｅ  Ｐｅｓｔｉｃｉｄｅｓ、ＡＣＳ  Ｓｙｍｐｏｓｉｕｍ  Ｓｅｒｉｅｓ  ５３、１９７７（引用することにより本明細書の開示の一部とされる）に記載されているようにポリエチレン、ポリプロピレン、ポリビニルクロリド、ミラー（ｍｙｌａｒ）及びアクリル樹脂から作製した放出膜に含有させる。放出膜から得た酢酸アンモニウムの市販の製剤〔ＢｉｏＬｕｒｅ（登録商標）（オレゴン州ベンドにあるＣｅｎｃｅｐ社）〕を用いることもできる。さらに、アンモニアと酢酸の量は、以下の実施例１に記載のようにして定量化できる。アンモニアについての好ましい放出速度範囲は、約４０μｇ／時間〜６００μｇ／時間である。放出速度のより好ましい範囲は、４５〜４００μｇ／時間である。最も好ましい量は、低薬量、中薬量及び高薬量に関して、それぞれ４５μｇ／時間、１２０μｇ／時間及び４００μｇ／時間である。酢酸についての好ましい放出速度範囲は、約１．０μｇ／時間〜１６μｇ／時間である。放出速度のより好ましい範囲は、１．５〜１３μｇ／時間である。最も好ましい量は、低薬量は、中薬量及び高薬量に関して、それぞれ１．５μｇ／時間、３μｇ／時間及び１３μｇ／時間である。１，４−ジアミノブタンを、実質的に純粋な液剤としてバイアルに入れる。１，４−ジアミノブタンについての好ましい範囲は、１，４−ジアミノブタンの実質的に純粋な液剤（ストレート）約２５〜３００μｌである。より好ましい範囲は、上記したように、実質的に純粋な製剤１，４−ジアミノブタン約５０〜２００μｌである。最も好ましい量は、低薬量、中薬量及び高薬量に関して、それぞれ５０μｌ、１００μｌ及び２００μｌである。放出膜３０とバイアル２８を、各々ハンガー１８から吊り下げる。しかしながら、パッチとバイアルは、トラップ本体の内部のどこに配置してもよい。昆虫集団密度、標的集団の齢構成、温度、風速及び放出速度等の因子はハエの反応、したがって実際にトラップされるハエの数に影響を及ぼす。温度、風速及び放出支持体等の因子は、化学的放出速度に影響する。効果的範囲内の放出速度が得られる環境の組み合わせにおける化合物の量は、以下の実施例２に記載の薬量−反応現場試験により容易に決定できる。ブランク又はプト��ッシン単独餌トラップでは雄又は雌はほとんど捕まえられなかった。中薬量の場合の雄地中海ミバエを除いて、酢酸アンモニウム単独は、ブランク又はプトレッシン単独の餌をつけたトラップよりも有意によかった。しかしながら、酢酸アンモニウムにプトレッシンを添加すると、雌のトラップ率が酢酸アンモニウム単独の場合に対してどの薬量でも有意に増加し、且つ全ての他の中薬量トラップに対して雄のミバエのトラップ率が増加した。この組み合わせの効果は、地中海ミバエ及び他のミバエについて相乗的であると言える。
トラップの色：トラップの色は、ミバエをトラップするのに顕著な影響を及ぼす。緑色トラップでは、透明トラップよりも有意に多くの雌の地中海ミバエがトラップされる。雄の地中海ミバエは黄色のトラップを好み、黄色のトラップでは、橙色のトラップよりもトラップ率が大きい。メキシコミバエ（Ａｎａｓｔｒｅｐｈａ  ｌｕｄｅｎｓ〔Ｌｏｅｗ〕）は、いずれの色の間でも差異はなかった。しかしながら、トラップされたメキシコミバエ％は、透明トラップよりも着色トラップの方が有意に高かった。トラップの色のミバエの誘引に及ぼす影響を測定するために行った実験の詳細を、実施例２に記載する。
本発明の使用：本発明は、監視、防除及び／又は検出ツールとして使用される。一つの方法として、トラップを配備し、ハエのトラップ量を表にして、ミバエのインフェステーションの大きさ及び位置を求めることが挙げられる。適当な害虫管理システムの経済的な使用方法が次に決定される。ハエのトラップ方法は、防除方法としても役立つことがあり、以下の実施例３で詳細に説明する。
本発明は、殺虫剤又は他の防除方法と組み合わせて使用する。本発明を使用して、ハエを引き寄せ、トラップに誘い込んで、効果的な量の毒物と接触させて防除する。効果的な量の毒物は、暴露された昆虫に対する致死量であるか、又は少なくとも致死量に近いがこれからの交尾又は産卵活動をできなくするに十分な量である。本発明で使用できる多種多様な毒物の実例としては、例えば、メトミル、マラチオン、ジクロルボス及びナレド又はそれらの２つ以上の組み合わせが挙げられる。
別の方法は、本発明を使用して局所的なミバエのインフェステーションの位置と境界を検出し、その区域に化学不妊剤、生物調節剤、寄生菌、捕食物又は他のミバエ用生物学的防除剤を用いることによりミバエを防除することである。
【図１ａ】
0003665072.tif 000002
【図１ｂ】
0003665072.tif 000003
【図１ｃ】
0003665072.tif 000004
【図２】
0003665072.tif 000005
【図３Ａ】
0003665072.tif 000006
【図３Ｂ】
0003665072.tif 000007
【図４Ａ】
0003665072.tif 000008
【図４Ｂ】
0003665072.tif 000009
【図５ａ】
0003665072.tif 000010
【図５ｂ】
0003665072.tif 000011
【図５ｃ】
0003665072.tif 000012